(57)【要約】【課題】太陽光或は風力等の自然エネルギ−発電は自然環境に左右される上に膨大な面積と高価な設備費用を要し、その上に商業電力オンラインでの電力売買では１０７Ｖ等の規定電圧以上野発電はカットせざるを得ず、同時に停電時対応電力の蓄電池も数時間の充電時間を必要として緊急時の停電には役に立たず、現状では、格安で有効な自家発電は皆無に等しく、一般家庭から全産業をカバ−する自家発電装置は見当たらない。【解決手段】余剰電力で格安の深夜電力を使用して大きな電力を発電して蓄電池に充電、電力消費多大な日中に蓄電池から夜間充電でＬＥＤ照明等必要電力を供給、夜間や雨天の太陽光発電パネルには微少電力消費で照射発電、蓄電池電圧低下時には自動関知で自動で発電、蓄電、充電し、クリ−ンで大きな電力を生むことで、計画停電や節電に対応し、産業界電力の確保を計る。【選択図】図１
2012253995.tif 000002
【特許請求の範囲】
【請求項１】
既存ラインの深夜商業電力で、駆動電動機（１）を稼働して、結続の発電機（２）により発電して蓄電池（３）に充電し、発電機（２）の発電電流は蓄電池（３）の蓄電容量に合致させ、深夜電力で駆動電動機（１）を稼働して充電、蓄電する事を原則とする。
蓄電池（３）からの消費電力供給の過程で、蓄電池電圧の一定レベル低下時にはパワ−コントロ−ルユニット（４）に設定記憶させた最低電圧を自動関知して駆動電動機（１）を稼働させ、発電機（２）により発電し、再度、蓄電池（３）に充電を繰り返す。
商業電力とのオンラインの場合は周波数マッチング機構その他の必要制御回路をもったパワ−コントロ−ルユニット（４）によって、蓄電池からは電力会社規定電圧、例えば、１０７ボルト以下でオンライン構成される。
駆動電動機（１）の電圧は、日本では１００Ｖの生活電力ライン電圧と、２００Ｖの工業電力ライン電圧のいずれかによるよるが、又船舶等では搭載発電機の電圧で駆動されるが、その駆動電動機（１）の能力は、発電機（２）の発電量の大小に負荷抵抗の差て選択され、発電電流値は、１２ボルト或いは２４ボルト，その他、蓄電池の種類に応じた性能毎の電圧の発電機で、発電機（２）の電流値は蓄電池（３）の蓄電容量で決定され、必要消費電力に見合った発電機（２）と蓄電池（３）で構成される。
同時に、太陽光発電も設置して、商業電力オンライン契約で規制電圧が１０７ボルト以下でオンラインが条件で有るが、それ以上の発電電圧の余剰発電電力をも捨てずに有効活用するため、発電電力の全てを一旦、蓄電池（３）に蓄電し、パワ−コントロ−ルユニット（４）によって電力供給会社に売電を可能にする。
深夜電力利用で駆動電動機（１）により大電力の発電機（２）により急速充電した蓄電池（３）の大容量蓄電電力の中から、微細電力消費のＬＥＤ照明（６）を効率よく太陽光発電（５）のパネル上部近距離に配置して太陽光パネル（５）に照射点灯を可能とすることで、３６５日の常時、夜間、雨天曇天でも発電する事が可能な装備とし、その場合には暴露部設置のＬＲＤ照明（６）は防水対策を施す。
生活等の必要消費電力は、可能な限り深夜電力利用の発電機（２）による充電の蓄電池（３）からのパワ−コントロ−ルユニット（４）で電力変換供給で賄い、時には蓄電池単体の、１基又は複数基のバッテリ−カ−（７）で、別室または複数の室内での電力供給も可能とし、発電機（２）稼働の駆動電動機（１）の稼働電力は深夜格安料金電力で賄い、太陽光発電（５）による電力は可能な限り余剰電力として売電することで最大限の経費節減と、意識の有無にかかわらず電力ピ−ク時の産業界電力不足回避策の一助とする、深夜電力利用発電と太陽光常時発電が合体した自家発電機。
【請求項２】
家電機器及び産業用電動機器に見合った本発明を装填又は併設した、請求項１記載の、深夜電力利用発電と太陽光常時発電が合体した自家発電機。
【請求項３】
「請求項１」記載の駆動電動機（１）及び発電機（２）を排除して、太陽光発電（５）の発電電力を蓄電池（３）に充電し、蓄電池（３）から微細電力消費で、ＬＥＤ照明（６）を夜間や雨天時の太陽光発電（５）のパネル上部近距離から太陽光パネル（５）に照射点灯を可能とし、余剰発電電力は売電、或いは消費電力とした、深夜電力利用発電と太陽光常時発電が合体した自家発電機。
【発明の詳細な説明】
【技術分野】
【０００１】  全家庭から全産業に及ぶ全ての分野で使用可能な、電気駆動の発電機、及び蓄電池に充電した電源で、太陽光パネルにＬＥＤ照明照射によって夜間や曇天でも常時発電の、自家発電装置である。
【背景技術】
【０００２】  太陽光発電は環境保全には良いが、天候に左右され、エネルギ−変換率が少ない為に、広大な面積と高価な設備を必要とし、発電コストも高価につき、今後においても太陽光エネルギ−の電気変換率の技術的発展性には限界が有り、コストダウンにも大きな障壁が有る。【０００３】  微弱電流による発電は種々存在するが、生活環境周囲機器電力、及び産業関連機器の必要電力の電力供給発電では、天候に左右されずに昼夜３６５日の発電は、大量の発電、環境保全で、現状では皆無といっても過言ではない。【０００４】
【特許文献１】  特開２００２−３３２９４７
【特許文献２】  特開２００３−０６１３９７
【発明の開示】
【発明が解決しようとする課題】
【０００５】  本発明の目的は、地球上の如何なる地域でも、僅かなスペ−スで、一切の化石燃料と排気ガスを排除して、既存の社会的余剰電力である深夜電力を利用し、発電量に基づく設備費用は、格安で、必要電力の大小を問わず供給可能な、僅かな短時間の電動駆動機の稼働で大量発電し、相当容量の蓄電池に充電、蓄電し、電力消費が大きい日中時間帯に深夜電力で生活等消費電力を供給し、同時に夜間及び雨天や曇天には太陽光発電パネル近接上部には、蓄電池からの印加電流で発光素子のＬＥＤ照明で光線照射して常時２４時間の太陽光発電を行うシステムで、蓄電池電圧が低下した場合には、自動電圧関知で発電機が自動稼働して急速大量電力充電の蓄電池から、必要電気機器を稼働するか、又はオンラインの商業電力からも電力導入が可能な、社会的電力の消費を平滑化する装置である。【０００６】  太陽光発電は天気に左右される事は周知の事実で、クリ−ンであるが１Ｋｗ・ｈ当たりの発電コストは非常に高価につき、投資効率では償却不能な欠点をもち，従来の太陽光発電のみでは、如何様にもし難い種々の問題点がある。【０００７】  この太陽光発電は自然を相手に気候に左右される自然界エネルギ−発電である為、この欠点補完には、人類生活環境に応じた人工的発電の合体で欠点解消しかない。【０００８】  原発を除く発電には、火力蒸気圧タ−ビン発電、内燃機動力発電、或は廃棄物固形化燃料焼却蒸気圧タ−ビン発電等々の種々の機種があるが、近年のバイオエネルギ−燃料化発電を含む種々の発電方式においても、周辺設備環境及び稼動条件から種々問題点がある。【０００９】  又、世界的にクリ−ンなエネルギ−として原子力発電の増設を論議しているが、人類生存の原則から、原発離脱先進国も現れ、最終廃棄物の的確な処理方法も今なお皆無である事から論議しない。【００１０】  ましてや、家庭用から産業用の自家発電に至っては、自然エネルギ−利用発電による、太陽光発電が主流で、設備金額の膨大さから国策的に一定額の設備額補助による拡充もあるが、個人或は企業負担額は大きく、発電量も必要負荷電力の一部にしか相当しない僅少で有る。【００１１】  本来、公共の発電能力は、需用電力の年次増大で必要最小限にとどめているものであるが、時代の変遷による電気消費量の増大と産業振興面から、全世界的に公共設備的発電システムだけにたよる事を再考すべき時が既に到来している事は言うまでもない。【００１２】  人工的発電エネルギ−は、視点を変えて視れば無限にある中で、人類生活空間に氾濫している種々電力の僅かな電力消費で、家庭生活から企業生産工程まで、その必要電力の一部又は相当電力を自家発電装置で賄うことも可能である。【００１３】  先ず常識的な太陽光発電の装置を設備金額国庫補助を受けて装備しても、残念ながら自然の恩恵を受ける年間の効果日数は地球上で地域的に大きな格差が有り、クリ−ンな太陽光発電を主体に国策的に広げるには、太陽光セル発電効率を１００％に近付ける必要が有るが、現在の使用条件で約２８％前後ぼ変換効率を、太陽光発電素子セルの改善で急激に効率アップする事は不可能である。【００１４】  又、近年、開発又は開発過程にある種々の代替エネルギ−による発電は、非常に大きな設備���資や引火爆発性燃料を含めて危険性も否定出来ない事は、欧米の或る国では、安全確保から、水素燃料電気自動車の地下駐車場の使用を禁じている事実からも留意すべきである。【００１５】  国策での大陽光発電普及策から、商業電力とオンラインで自家発電余剰電力の電力会社による買取制度もあるが、そのオンライン条件過程では、自家発電電力の電圧規制により１０７ボルト以内に電圧調整しなければならず、それをオ−バ−する発電電圧電力は、仮に大電力発電でも破棄せざるを得ない条件設定が現在あり、しかも年間の限られた晴天で限られた変換効率の大陽光等発電等の最も避けるべき事であるが、商業電力会社の既存ラインとのオンライン融合性の為で致し方ない。【００１６】  しかし、既存商業電力とのオンラインのために、それでなくても自然天候に委ねざるを得ない太陽光発電では、晴天で最大発電量の電気を、既存の商業電力との融合の為に、日中最大発電時間帯で規定以上の電力を捨てて、夕刻以降の生活消費電力では商業電力会社から効果な電力を購入消費すること事態がナンセンスで、太陽光の発電全量を一旦蓄電した上で、１０７Ｖでオンラインする事がベタ−である。【００１７】  それ以上に最も重要な事は、世界中の常識が太陽光発電は夜間や雨天曇天には発電しないと言う先入観に浸っていることであるが、一つ工夫すれば、商業電力利用や、晴天の太陽光発電の全電力の蓄電で、晴天日中の最大発電時間帯でオンラインの為に捨てていた電力の利用で、微少消費電力のＬＥＤ発光素子で太陽光発電セルを照射して夜間や雨天でも発電させ、より効果を望めばＬＥＤ照明からの照射で太陽光パネルから反射した光線も逃がすことなく、反射板で覆えば尚効率も上昇する。【００１８】  深夜電力利用の発電は、日中の電力不足解消目的で、生活消費電力似使用すると同時に夜間や雨天時のＬＥＤ素子発光で太陽光パネル照射も行う事により、自然のお天気任せの太陽光発電を、より大きな発電量に変革することが可能である。【００１９】  商業電力の使用電力が最も少ない深夜電力料金の時間帯を利用して大量の発電と大量の蓄電池に充電し、ＬＥＤ発光素子で太陽光発電セルを照射して夜間や雨天でも発電、ＬＥＤ発光素子が市販品の生活電力対応であればインバ−タ−つまり電力変換器で生活電力に変換して市販のＬＥＤ照明でも照射可能で発電は、日本では深夜電力は１ｋｗ・ｈ当たり７円前後であり、売電価格は４２円、この価格差で太陽光発電が２４時間発電が可能となり大きなメリットとなる。【００２０】  その発電電力消費原価と、発電量の売電価格差もさることながら、原発の廃止気運が世界的に高まる中での節電意識の社会環境から、深夜、夜間の電力を利用して、従来の単なる充電機では得られない、発電機により大量の発電、充電、蓄電、電力消費を行えば、日中の電力は産業界に供給でき、今後１０００万戸の家庭に、本発明の太陽光発電を装着すると世界に公言している中で、この上ない社会貢献にも成り、全世界の太陽光発電が、３６５日、２４時間の発電稼働が可能とある。【００２１】  一般家庭の屋根に、３ｋｗ・ｈ乃至４ｋｗ・ｈの太陽光発電パネルを装填する場合、面積的に不足する場合には、倉庫内に不足分太陽光パネルを設置し、深夜電力��用の発電、充電の蓄電池から、２４時間ＬＥＤ照射も、深夜電力１ｋｗ・ｈ当たり７円前後で微細電力のＬＥＤ発光素子で照射発電すれば、売電価格１ｋｗ・ｈ当たり４２円で７倍の価格差があり、今後の全世界的ＬＥＤ製造原価の数分の一にダウンも近い将来に現実し、大きなメリットと成ることも間違い無い。【００２２】  暴露の屋外に設置の太陽光パネルの場合は、太陽光パネル上部に近接してＬＥＤ固定棚を設置し、常設の固定棚でもよければ、傾斜棚枠つきで夜間や曇天はスライド式で太陽光発電パネル上部に装填することも可能であるが、ＬＥＤ発光素子は、湿度に弱い欠点が有り防護すれば良く、近い将来には従来の白熱球同様に、弊社でも耐水ＬＥＤ照明開発も間近に有り、同時にＬＥＤ固定棚上部に、鏡面の光反射を兼ねた雨水防護も開発済みで有効使用も出来る。【００２３】  生活消費電力は、夜間の深夜電力料金帯の電力を利用した発電機は大量の発電と急速充電が可能であることから、相当容量の蓄電池に分単位で急速充電し、インバ−タ−経由で電力消費すれば、日中の商業電力の２５円前後の高い電力料金から逃避が可能と、前述の日中の電力は産業用電力に振り向ければ、絶対安全性など皆無の危険な原発の全廃もドイツ同様に、世界中が可能である。【００２４】  最後に、節電意識高揚の為の種々方策で、待機電力解消でコンセント抜き、冷房や暖房の温度設定変え、冷蔵庫の設定温度変更、その他種々の半強制的指導も、一時的には有功でも人間本来の性格から継続性は望めず、重要なことは、経済的利益追求の結果が、節電に帰属する事が、本来の持続継続性で、反強制的指導ではおぼつかない。
【課題を解決する手段】
【００２５】  通常の日本過程電力消費で、３Ｋｗ・ｈを消費する家庭では１００ｖ３０Ａを供給すれば良い事であり、それに適合する効率の良い１００Ｖ又は２００Ｖ駆動の電動駆動機と、効率の良い１２Ｖ，２４Ｖ，或いは１００Ｖ、２００Ｖ等々の発電電圧の発電機で、発電効率の良い発電電流が４０Ａ、８０Ａ等々の電流を、目的消費電力に合致した適切容量蓄電池に充電の組み合わせで、消費電力僅少で格安７円ｋｗ・ｈの深夜電力料金で発電、充電、蓄電し、この電力を日中消費拡大の時間帯で使えば、深夜電力以外の時間帯の２５円ｋｗ・ｈの電力料金消費より節約にもなり、その結果が電力消費ピ−ク次の大きな節電となる。
【００２６】  近年、駆動電動機は、大きな電動トルクを小さな電力消費で設計されており、発電機は発電目的の電動機で発電必要回転数によって規定の電圧と電流を有効的に生み出す設計である。
【００２７】  発電機は、回転数を上げれば上げる程に発電電圧と電流も、或る一定範囲内で増大する事は周知の事実である。
【００２８】  現在、わが国原発事故による計画停電、また多くの新興国で常習化的予告無しの停電の対応で、屋内設置の駆動電動機を必要に応じて選択することで、適正な発電容量で発電し、目的に応じた容量の蓄電池に急速に充電が可能であり、蓄電池からの電変換機器のインバ−タ−を経て電力供給も変換ロスは１０％前後で小さく、消費電力が予定外で増大して蓄電池電圧が設定電圧以下に低下した場合でも、蓄電池電圧を常時関知して自動的に発電機が駆動して充電、蓄電を行う。
【００２９】  同時に、大陽光自家発電で、商業電力とのオンライン売買電力の場合、オンラインするが為にわが国では１０７ボルトでの電圧規制があり、太陽光発電でこの電圧を越える部位電力はパワ−コントロ−ルユニットでカットして商業電力とオンラインせざるを得ず、夏期晴天時の大量発電電力は端的に１０７Ｖ以上の電力を捨てている事都なり、社会趨勢に逆行しているが、このオ−バ−電力をも蓄電池に充電すれば、より高度な変換効率となり目的を達する。
【００３０】  当然ながら、別ラインの深夜電力を使用して発電、充電、蓄電するシステムを太陽光発電と併設すれば、産業界で電力消費が少ない深夜電力を利用して発電、蓄電して、日中の電力ピ−ク時に蓄電池からインバ−タ−経由で変換ロスを差し引いて放電消費しても、大きな節電メリットがある事は言うまでもない。
【００３１】  夜間深夜電力料金利用で駆動電動機を分単位で稼働させ、発電機で大容量の発電電力を蓄電池に急速充電させて、微少消費電力のＬＥＤ発光素子で、太陽光発電パネルの上部近接位置で発光照射させれば、夜間や雨天等に左右される太陽光発電装置が、世界で初の２４時間３６５日発電の太陽光発電が生誕する。
【００３２】  ＬＥＤ発光照射の夜間、日中雨天での太陽光発電の一実施例でのコストは、深夜電力で０．５時間稼働で東芝製２００Ｖ１．５ｋｗで消費電流は６Ａの駆動電動機を使用のコストは、深夜電力７円１ｋｗ・ｈ×０．３時間×１．５ｋｗ＝３円１５銭が発電コストである。
【００３３】  ２４Ｖ、４０Ａ直流発電機、１００Ａ容量の蓄電池に充電に前項０．３時間で充電の電力で、太陽光発電パネル１平方メ−トル当たりのＬＥＤ発光素子消費電力０．０８Ａで、変換ロスを参入して２４時間以上の照射が可能で有る現実から、深夜電力コストは３円１５銭となる。
【００３４】  太陽光パネル１平方メ−トル当たりの発電効率は最大１７０Ｗ・ｈとすれば、夜間の多少の発電効率減少を加味しても１５０ｗ・ｈで、売電価格４２円１ｋｗ・ｈ×０．１５＝６円３０銭で、発電の深夜消費電力料金を差し引けば、太陽光発電の１平方メ−トル当たりの１時間売電利益は３円１５銭で小さく感じるが、ヨ−ロッパ先進国の売電価格の大きさから見れば、太陽光パネル２０枚設置で４ｋｗ・ｈ発電家庭では、夜間１２時間の３６５日と年間雨天日数も発電すれば大きな効果がある。
【００３５】  忘れてはならないことは、太陽光発電の、夏期晴天時の最大発電量の全てが蓄電池に充電されるた上での商業電力とのオオンラインで電力売買は、オンライン規制電圧無関係で蓄電され、その上でオンライン規制電圧似変換して接続することから、太陽光発電から直接理性電圧にして接続される発電電力ロスが解消される。
【００３６】  もう一つの利点は夜間深夜電力利用の発電、充電、蓄電の消費電力を、太陽光発電の夜間雨天照明と共に、日中生活消費電力をもカバ−する電力容量の蓄電池で対応すれば、太陽光発電電力の全てが売電に仕向けられて、生活消費電力は基本料金のみの支出となり、産業界消費電力の需要都供給に余裕も産まれる。
【００３７】  当然ながら、ＬＥＤ発光素子は電気回路は湿度に弱く、湿度防御と共に、ＬＥＤ発光光線の有効照射目的で、晴天は直射日光で、夜間雨天は、太陽光パネル上部にＬＲＤ照明を固着又は脱着方式で装着、カバ−内側鏡面、或いは透明等、種々方式のカバ−で覆い防水と乱反射光と共に有効である。
【００３８】  「請求項２」は、各種単独の家電機器や産業機器で、その機器が要求する消費電力の削減で、上記の機能を併設したもので、各種単独の家電機器や産業機器が消費する電力の全部又は一部を、「請求項１」によってカバ−し、節電に貢献するものである。
【００３９】  「請求項３」は、前述「請求項１」記載の、深夜電力利用の駆動電動機と発電機による電力供給の太陽光発電のＬＥＤ照明を簡略化して、駆動電動機（１）と発電機（２）を使わずに、ＬＥＤ照明に電力を供給するものである。
【００４０】  太陽光発電の全発電量を「請求項１」記載と同様に蓄電池（３）に充電して商業電力にオンラインするもので、太陽光照射力が弱化して発電不能時点では蓄電池からの電力で太陽光パネルにＬＥＤ照明で発光照射し、夜間深夜格安電力時間帯には￥７円ｋｗ・ｈの電力でＬＥＤ照明で発光照射して、常時発電する太陽光発電である。
【００４１】  雨天曇天で太陽光発電が発電不能な場合でも、夜間深夜電力料金帯時間を利用して蓄電池に充電器で毎日充電すれば、翌日が雨天曇天で太陽光発電の発電力が無くても、太陽光直射発電力との差はあれ、発電し充電するが、深夜電力利用の大容量発電と充電の電力差はあれ、年間に換算すれば大きなメリットとなる。
【発明の効果】
【００４２】１、夜間、天候に左右されない太陽光発電。
２、自然天候或は周囲環境に左右されずに常時発電。
３、深夜電力利用発電は充電量３Ｋｗ・ｈ当たり０．５ｍ２で高さ０．５ｍで省スペ−ス。
４、消費電力に応じた家電或は産業用機器毎の単独発電機から、総合電力発電まで可能。
５、深夜電力利用発電と太陽光発電とのコラボレイションで、３６５日２４時間発電。
６、工業用電力供給皆無の地域では、駆動電動機の電力は住宅用電力でも可能。
７、大陽光や風力発電で商業電力とオンライン発電の規制電圧の余剰電力も蓄電池に充電
８、駆動電動機の電力は、深夜商業電力の一定電圧で賄い、日中の電力ピ−クの削減に。
【発明を実施する為の最良の形態】
【００４３】  以下に「請求項１」について、一実施例について述べる。
【００４４】  既存ラインの深夜商業電力で、三相２００Ｖ１．５ｋｗ・ｈの余裕を持った駆動電動機（１）を稼働し、駆動電動機（１）と同等回転のＶベルトプ−リ−で結続の１８００回転の発電機（２）に結続する。
【００４５】  発電機（２）は、電圧は発電効率が大きく、直流２４Ｖ、８０Ａ、最大発電電圧２８Ｖの発電機を使用したが、そのほか電圧１２Ｖ、発電電流１２０Ａ等の例もある。
【００４６】  蓄電池（３）は世界中、後進国でも容易に入手可能な鉛蓄電池で２４Ｖとし、深夜電力で駆動電動機（１）を稼働して蓄電する事を原則とする。
【００４７】  発電機（２）の発電電力は、蓄電池（３）に充電して、パワ−コントロ−ルユニット（４）で電圧変換インバ−タ−経由で電力供給するが、消費電力が何らかの状態で蓄電池電圧低下時には、パワ−コントロ−ルユニット（４）で自動関知して、駆動電動機（１）の自動稼働で急速大電流の発電機（２）により発電、充電して再度蓄電池（３）に充電し、これを繰り返す。
【００４８】  商業電力とのオンラインでの規制最高電圧１０７Ｖ等、その他の必要な制御回路をもったパワ−コントロ−ルユニット（４）によって、蓄電池（３）から１０７ボルト以下でオンライン構成されるが、太陽光発電の全電力は一旦蓄電池（３）に充電されることから、規制電圧１０７Ｖ以上廃棄される事は無い。
【００４９】  駆動電動機（１）の電圧は、日本では生活電力の１００Ｖと、工業電力２００Ｖのいずれかによる稼働されるが、船舶では船舶搭載発電機の多くは４４０Ｖで駆動される。
【００５０】  駆動電動機（１）の能力は、発電機（２）の発電量の大小によって選択され、発電電流値は２４Ｖ発電を使用したが、１２ボルト或いは２４ボルト，その他、蓄電池の種類に応じた性能毎の電圧で発電する。
【００５１】  発電機（２）の電流は４０Ａ乃至８０Ａ，或いはそれ以上の大量電流の発電機（２）の稼働も選択でき、必要消費電力に見合った発電機（２）と蓄電池（３）で構成する。
【００５２】  同時に、太陽光発電（５）等、各種の自家発電装置は、商業電力オンライン契約で規制電圧が１０７ボルトであるが、総発電電力を全て蓄電池（３）に蓄電した上で、蓄電池（３）から１０７Ｖに変換してオンラインすることで、発電ロスが解消される。
【００５３】  原則的に価格低廉の深夜電力利用して駆動電動機（１）で大電力の発電機（２）により急速充電した蓄電池（３）の大容量蓄電電力は、微細電力消費のＬＥＤ照明（６）を効率よく太陽光発電（５）のパネル上部近距離から照射点灯することで夜間、雨天曇天でも、又、地下室設置の太陽光発電（５）パネルでも発電量は低下するが発電する。
【００５４】  しかし、全世界のＬＲＤメ−カ−がコストダウンに逆立ちしている中で、近い将来、格安で、高照度のＬＥＤ照明が市販されることは明らかで、その段階には２４時間発電の、夏期自然光にも匹敵する、或いはそれ以上の発電量の太陽発電が出来ると信ずる。
【００５５】  生活等の必要電力は、可能な限り深夜電力利用の発電機（２）により充電した蓄電池（３）からインバ−タ−機能をもったパワ−コントロ−ルユニット（５）で電力変換供給で賄い、太陽光発電（５）による電力は、可能な限り余剰電力で売電して産業界必要電力の一助とする。
【００５６】  「請求項２」記載は、家電機器及び産業用電動機器に見合った本発明を装填又は併設すれば、単なる省エネルギ−的な節電回路以上の究極的な節電で、機器内蔵スペ−スが少ない場合は、又は他に併設装填でも有効であり、従来の機器稼働省エネ電力機器がそれ以上に深夜電力による、発電機稼働蓄電電力で良いことになる。
【００５７】  「請求項３」は、日本を含めて、産業用メガ発電規模の太陽光発電の場合、全発電量を一旦蓄電して、産業用電力とオンラインすることは「請求項１」記載と同様だが、深夜電力利用の、駆動電動機（１）と発電機（２）を省略して、太陽光発電から充電した蓄電池電力で、微細電力のＬＥＤ照明で、深夜雨天でも発電するものである。
【００５８】  太陽光発電（５）から充電した蓄電池（３）は、毎晩深夜電力の￥７円ｋｗ・ｈの電力をパワ−コントロ−ルユニット（５）に内蔵の充電器で充電することで、翌日の急変で雨天の場合でも、蓄電池（３）からＬＥＤ照明（６）が点灯する。
【００５９】  深夜格安電力料金の時間帯は、蓄電池（３）から電力導入すること無く、￥７円ｋｗ・ｈの電力で、ＬＥＤ照明（６）を点灯することも出来る。
【図面の簡単な説明】
【００６０】
【図１】深夜電力利用発電と太陽光発電の合体で、太陽光発電の夜間及び雨天対応の、イラスト図である。
【図２】駆動電動機１基と発電機１基でパワ−コントロ−ルユニットを設置し、下部段に蓄電池を立体的に設置した上視図である。
【図３】駆動電動機１基と発電機１基でパワ−コントロ−ルユニットを設置し、下部段に蓄電池を立体的に設置した正面図である。
【図４】産業用機械に、駆動電動機１基と発電機１基で、別途に蓄電池、パワ−コントロ−ルユニットを設置した斜視図である。
【図５】駆動電動機と発電機を省略して、太陽光発電の発電電力を蓄電池に蓄電して、蓄電電力でＬＥＤ照明を太陽光発電パネルに照射する夜間及び雨天対応のイラスト図である。
【符号の説明】
【００６１】１  駆動電動機
２  発電機
３  蓄電池
４  パワ−コントロ−ルユニット
５  太陽光発電
６  ＬＥＤ照明
７  バッテリ−カ−
８  透明カバ−
【図１】
2012253995.tif 000003
【図２】
2012253995.tif 000004
【図３】
2012253995.tif 000005
【図４】
2012253995.tif 000006
【図５】
2012253995.tif 000007